(57)【要約】【課題】ベッドガードの高さを容易に変えることができる上下高さ伸縮省スペース化ベッドガードを提供する。【解決手段】上下高さ伸縮省スペース化ベッドガードは、下バーセット１及び上バーセット２を備える。下バーセット１は、下接続バー１１、２つの接続関節１２及び２つの直立外バー１３から構成される。下接続バー１１の両端には、接続関節１２がそれぞれ枢着される。接続関節１２のそれぞれは、前方にグランドバー１２１が枢着され、上方に直立外バー１３が枢着される。直立外バー１３は、互いに平行に設置され、かつ、所定の長さを有する中空状管体である。直立外バー１３の上方末端近くには、外孔１３１がそれぞれ形成される。上バーセット２は、上接続バー２１、２つの直立内バー２２及び２つのフック片２３から構成される。【選択図】図１
0003189314.tif 000002
【実用新案登録請求の範囲】
【請求項１】
下バーセット及び上バーセットを備えた上下高さ伸縮省スペース化ベッドガードであって、
前記下バーセットは、下接続バー、２つの接続関節及び２つの直立外バーから構成され、前記下接続バーの両端には、前記接続関節がそれぞれ枢着され、前記接続関節のそれぞれは、前方にグランドバーが枢着され、上方に前記直立外バーが枢着され、前記直立外バーは、互いに平行に設置され、かつ、所定の長さを有する中空状管体であり、前記直立外バーの上方末端近くには、外孔がそれぞれ形成され、
前記上バーセットは、上接続バー、２つの直立内バー及び２つのフック片から構成され、前記上接続バーの両端には、下方へ曲げられた前記直立内バーが延設され、前記直立内バーは、互いに平行に設置され、かつ、所定の長さを有する中空状管体であり、前記直立内バーは、下方末端近くに内孔がそれぞれ形成され、前記直立内バーの末端内部には、前記フック片がそれぞれ配設され、前記フック片には、凸柱が突設され、前記凸柱は、前記内孔を介して前記直立内バーの外側へ突出され、
前記直立内バーは、前記直立外バー中にそれぞれ挿設されることを特徴とする上下高さ伸縮省スペース化ベッドガード。
【請求項２】
前記直立外バーの末端には、環状外カバーが嵌合されることを特徴とする請求項１に記載の上下高さ伸縮省スペース化ベッドガード。
【請求項３】
前記フック片はＶ字状弾片であることを特徴とする請求項１に記載の上下高さ伸縮省スペース化ベッドガード。
【請求項４】
前記ベッドガードを展開する際、前記フック片の前記凸柱が前記内孔及び前記外孔を介して前記直立内バーの外側へ突出されることを特徴とする請求項１に記載の上下高さ伸縮省スペース化ベッドガード。
【考案の詳細な説明】
【技術分野】
【０００１】
本考案は、上下高さ伸縮省スペース化ベッドガードに関し、特に、ベッド縁に結合させてベッドから人が転落することを防ぐ上下高さ伸縮省スペース化ベッドガードに関する。
【背景技術】
【０００２】
従来、ベッド縁に使用するベッドガードとしては、一般にベッドフレームへ固定的に結合された金属又はプラスチック製の手すりが使用される。しかしこのような従来の手すりは、落下防止効果を備えるが、調整したり移動したりすることができないため使用が不便であるという短所を有する。
【考案の概要】
【考案が解決しようとする課題】
【０００３】
本考案の目的は、ベッドガードの高さを容易に変えることができる上下高さ伸縮省スペース化ベッドガードを提供することにある。
【図面の簡単な説明】
【０００４】
【図１】本考案の一実施形態に係る上下高さ伸縮省スペース化ベッドガードを示す分解斜視図である。
【図２】本考案の一実施形態に係る上下高さ伸縮省スペース化ベッドガードを示す斜視図である。
【図３】本考案の一実施形態に係る上下高さ伸縮省スペース化ベッドガードを展開したときの状態を示す側面図である。
【図４】本考案の一実施形態に係る上下高さ伸縮省スペース化ベッドガードのフック片を外孔から露出させた状態を示す模式図である。
【図５】本考案の一実施形態に係る上下高さ伸縮省スペース化ベッドガードが収納された状態を示す側面図である。
【図６】本考案の一実施形態に係る上下高さ伸縮省スペース化ベッドガードのフック片を押圧したときの状態を示す模式図である。
【図７】本考案の一実施形態に係る上下高さ伸縮省スペース化ベッドガードの直立内バーを押し動かすときの状態を示す模式図である。
【図８】本考案の他の実施形態に係る上下高さ伸縮省スペース化ベッドガードを示す分解斜視図である。
【考案を実施するための形態】
【０００５】
以下、本考案の実施形態について図に基づいて説明する。なお、これによって本考案が限定されるものではない。
【０００６】
図１を参照する。図１に示すように、本考案の一実施形態に係る上下高さ伸縮省スペース化ベッドガードは、互いに組み合わせる下バーセット１及び上バーセット２を含む。
【０００７】
下バーセット１は、下接続バー１１、２つの接続関節１２及び２つの直立外バー１３を含む。下接続バー１１の両端には、接続関節１２がそれぞれ枢着されている。これら２つの接続関節１２には、前方にグランドバー１２１が枢着され、上方に直立外バー１３が枢着されている。各直立外バー１３は、互いに平行に設置され、かつ、所定の長さを有する中空状管体である。各直立外バー１３の上方末端近くには、外孔１３１が形成されている。各直立外バー１３の上方末端には、環状外カバー１３２が嵌合されている。
【０００８】
上バーセット２は、上接続バー２１、２つの直立内バー２２及び２つのフック片２３を含む。上接続バー２１の両端には、下方へ曲げられた直立内バー２２が延設されている。各直立内バー２２は、互いに平行に設置され、かつ、所定の長さを有する中空状管体である。各直立内バー２２は、下方末端近くに内孔２２１が形成され、各直立内バー２２の末端内部に２つのフック片２３がそれぞれ配設されている。フック片２３は、凸柱２３１が突設されたＶ字状弾片である。凸柱２３１は、内孔２２１を介して直立内バー２２の外側へ突出される。
【０００９】
図２を併せて参照する。図２に示すように、上バーセット２の２つの直立内バー２２は、下バーセット１の２つの直立外バー１３中に挿設され、ベッドガードを展開する際、フック片２３の凸柱２３１が内孔２２１及び外孔１３１を介して各直立内バー２２の外側へ突出される。
【００１０】
図２及び図３を参照する。図２及び図３に示すように、本考案の一実施形態に係る上下高さ伸縮省スペース化ベッドガードを実際に使用する際、下バーセット１の２つのグランドバー１２１のそれぞれをベッド縁からマットレス底部へ挿設する。下接続バー１１、直立外バー１３、上接続バー２１及び直立内バー２２上には、ベッド縁から人が転落することを防ぐために、網布（図３参照）が設置されている。
【００１１】
本考案の一実施形態に係る上下高さ伸縮省スペース化ベッドガードは、展開又は収納の２種類の状態を有する。図３及び図４は、水平伸縮省スペース化ベッドガードの展開状態を示し、この状態下で上バーセット２の２つの直立内バー２２は、下バーセット１の２つの直立外バー１３の内側へそれぞれ配設され、２つのフック片２３の凸柱２３１のそれぞれが内孔２２１及び外孔１３１を介して直立内バー２２の外側へ突出され、２つの直立内バー２２及び直立外バー１３の接続長さを最長に維持して展開させる。図５に示すように、収納する場合、上バーセット２の２つの直立内バー２２を下バーセット１の２つの直立外バー１３の最内側へ挿設し、各直立内バー２２と直立外バー１３との間の接続高さを短くして収納状態（図６及び図７参照）にするが、展開状態から収納状態にする操作では、２つのフック片２３に突設された凸柱２３１を内方へそれぞれ押圧して凸柱２３１を外孔１３１から外し、２つの直立内バー２２をそれぞれ直立外バー１３の最内部へ向けて押し動かして移動させる。
【００１２】
図８を参照する。図８に示すように、本考案の他の実施形態に係る上下高さ伸縮省スペース化ベッドガードの下バーセット１の２つの直立外バー１３上には、水平に配列した多数の外孔１３１が形成され、上バーセット２の２つのフック片２３の凸柱２３１は、各外孔１３１を介して外側へ突出される。この構成により、ベッドガードを多段式に展開させることができるため、ベッドガードの高さを適宜調整することができる。
【００１３】
上述したことから分かるように、本考案の上下高さ伸縮省スペース化ベッドガードは、直立内・外バーの組み合わせにより、ベッドガードの高さを調整することができるため、使用する際に展開したり、収納する際に畳んだりすることが容易にでき、ユーザの必要に応じて（例えば、乳幼児の身長に応じて）調整することができるため、産業上の利用価値が高い。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１      下バーセット
２      上バーセット
１１    下接続バー
１２    接続関節
１３    直立外バー
２１    上接続バー
２２    直立内バー
２３    フック片
１２１  グランドバー
１３１  外孔
１３２  外カバー
２２１  内孔
２３１  凸柱
【図１】
0003189314.tif 000003
【図２】
0003189314.tif 000004
【図３】
0003189314.tif 000005
【図４】
0003189314.tif 000006
【図５】
0003189314.tif 000007
【図６】
0003189314.tif 000008
【図７】
0003189314.tif 000009
【図８】
0003189314.tif 000010